(57)【要約】【課題】全長が伸長した状態で入力ペンを携帯情報端末１２等の収納室１２Ａに押し込むのみで全長が短縮して収納室１２Ａに収納される。また、短縮した状態で収納されている入力ペンの押棒６をノックすれば全長が伸長して収納室１２Ａより押棒６が突出する。この突出した押棒６を指で保持すれば簡単に収納室１２Ａより取り出せる入力ペンを提供する。【解決手段】後軸３に長手方向後方に長く伸びた凹溝３Ｄと凹溝３Ｄの後端縁より適宜長手方向前方に位置する係止部を交互に複数形成し、押棒６の最前進位置時にはカム部材７のカム爪７Ａが後軸３の係止部に係止され、押棒６の最後退位置時にはカム部材７のカム爪７Ａが後軸３の凹溝３Ｄ内に挿入される。【選択図】        図１
2006119913.tif 000002
【特許請求の範囲】
【請求項１】
感圧式手書き入力装置に用いる入力ペンにおいて、先端に入力部を設けた軸筒と、軸筒内に摺動可能に内蔵されかつカム爪を備えるカム部材と、カム部材を長手方向後方に付勢するスプリングと、軸筒内に摺動可能でかつ回動不能に内蔵されるとともに突部を有する押棒とからなり、軸筒に長手方向後方に長く伸びた凹溝と凹溝の後端縁より適宜長手方向前方に位置する係止部を交互に複数形成し、押棒の最前進位置時にはカム部材のカム爪が軸筒の係止部に係止され、押棒の最後退位置時にはカム部材のカム爪が軸筒の凹溝内に挿入されることを特徴とする入力ペン。
【請求項２】
押棒の最前進位置時に、押棒あるいは押棒に設けられたノブと軸筒が、摩擦手段により係合することを特徴とする請求項１記載の入力ペン。
【請求項３】
感圧式手書き入力装置に用いる入力ペンにおいて、先端に入力部を設けた軸筒と、軸筒内に摺動可能でかつ回動不能に内蔵されるとともにカム爪を備えるカム部材と、カム部材を長手方向後方に付勢するスプリングと、軸筒内に摺動可能に内蔵されかつ突部を有する押棒とからなり、軸筒に長手方向後方に長く伸びた凹溝と凹溝の後端縁より適宜長手方向前方に位置する係止部を交互に複数形成し、押棒の最前進位置時には押棒の突部が軸筒の係止部に係止され、押棒の最後退位置時には押棒の突部が軸筒の凹溝に挿入されることを特徴とする入力ペン。
【請求項４】
先端に入力部を設けた前軸と、前軸に接続された後軸により軸筒を構成したことを特徴とする請求項１乃至３のいずれか１項に記載の入力ペン。
【発明の詳細な説明】
【技術分野】
【０００１】
本発明は、感圧方式の手書き入力装置に用いるとともに、伸縮可能な入力ペンに関するものである。
【背景技術】
【０００２】
従来、入力ペンが短縮状態にあるとき、ペン摺動部のペン先をノックすることにより、回転カムが回転して、回転カムのカム爪とペンケースの内壁のカム機能との係合が外れ、ペン先が伸長状態にあるとき、ペン先を押し込むことにより、回転カムが回転して、回転カムのカム爪とペンケースの内壁のカム機能との係合が生じてペン先が短縮状態となる入力ペンが知られている。（特許文献１参照）
【特許文献１】特開２００１−１４２６２６号公報
【発明の開示】
【発明が解決しようとする課題】
【０００３】
上記した従来の入力ペンは、携帯時には全長が短縮し、使用する時には全長が伸長する利点はあるが、携帯端末本体に収納する場合には、先ずペン先摺動部４をペンケース部１内に没入して短い長さに変形した後、ペンケース部１に設けた突起１５をガイド溝１９に嵌まるように入力ペン１６を携帯端末本体１７の収納部に挿入しなければならなかった。また、入力ペン１６を携帯端末本体１７から取り出す場合には、突起１５がガイド溝１９に沿って上方に押し上げて取り出さなければならず、非常に取り出しにくいものであった。
【課題を解決するための手段】
【０００４】
本発明は、感圧式手書き入力装置に用いる入力ペンにおいて、先端に入力部を設けた軸筒と、軸筒内に摺動可能に内蔵されかつカム爪を備えるカム部材と、カム部材を長手方向後方に付勢するスプリングと、軸筒内に摺動可能でかつ回動不能に内蔵されるとともに突部を有する押棒とからなり、軸筒に長手方向後方に長く伸びた凹溝と凹溝の後端縁より適宜長手方向前方に位置する係止部を交互に複数形成し、押棒の最前進位置時にはカム部材のカム爪が軸筒の係止部に係止され、押棒の最後退位置時にはカム部材のカム爪が軸筒の凹溝内に挿入されることを第１の要旨とする。
【０００５】
また、押棒の最前進位置時に、押棒あるいは押棒に設けられたノブと軸筒が、摩擦手段により係合することを第２の要旨とする。
【０００６】
更に、感圧式手書き入力装置に用いる入力ペンにおいて、先端に入力部を設けた軸筒と、軸筒内に摺動可能でかつ回動不能に内蔵されるとともにカム爪を備えるカム部材と、カム部材を長手方向後方に付勢するスプリングと、軸筒内に摺動可能に内蔵されかつ突部を有する押棒とからなり、軸筒に長手方向後方に長く伸びた凹溝と凹溝の後端縁より長手方向前方に位置する係止部を交互に複数形成し、押棒の最前進位置時には押棒の突部が軸筒の係止部に係止され、押棒の最後退位置時には押棒の突部が軸筒の凹溝内に挿入されることを第３の要旨とする。
【０００７】
更にまた、先端に入力部を設けた前軸と、前軸に接続された後軸により軸筒を構成したことを第４の要旨とする。
【発明の効果】
【０００８】
本発明の入力ペンは、全長が伸長した状態で入力ペンを携帯情報端末等の収納室に押し込むのみで全長が短縮して収納部に収納され、また、短縮した状態で収納されている入力ペンの押棒をノックすれば全長が伸長して収納室より押棒が突出し、この突出した押棒を指で保持すれば入力ペンが簡単に収納室より取り出せるという利点がある。
【発明を実施するための最良の形態】
【０００９】
軸筒内に摺動可能に内蔵されたカム部材と押棒のどちらか一方を軸筒内に回動不能に内蔵し、他方を回転させて軸筒の凹溝と係止部に交互に係止させることにより、押棒をノックする毎に押棒が短縮と伸長を繰り返すことができる入力ペンを実現した。
【実施例１】
【００１０】
図１、図２、図３、図４、図５および図６により本発明の実施例１の入力ペンを説明する。尚、図１の左側を前方とし、右側を後方とする。また、回転方向は、長手方向前方に向かって右回転あるいは左回転と称する。先ず、前軸１の凹条１Ａに金輪２の前突部２Ａを嵌め込み、前軸１に金輪２を接着して連結する。また、金輪２の後突部２Ｂを後軸３の凹条３Ａに嵌め込み、金輪２に後軸３を接着して連結する。この前軸１と後軸３により軸筒を構成する。この前軸１内に入力部４Ａを有する入力チップ４を内蔵し、この入力チップ４と金輪２との間に前スプリング５を張架して、入力チップ４を前方に付勢する。
【００１１】
後軸３の内面には、右後方に傾斜された傾斜面３Ｂと、傾斜面３Ｂと隣接して長手方向に伸びた受面３Ｃにより係止部が形成され、この係止部と長手方向後方に長く伸びた凹溝３Ｄを交互に３個づつ形成する。また、係止部の内側には凹溝３Ｄより浅いキー溝３Ｅが長手方向後方に伸びて構成され、キー溝３Ｅと凹溝３Ｄの間に形成された土手の前端は右後方に傾斜された斜面３Ｆとなっている。
【００１２】
前記後軸３の凹溝３Ｄとキー溝３Ｅのそれぞれに押棒６の突部６Ａを挿入して押棒６を後軸３内に長手方向に摺動可能で回動不能に内蔵する。この押棒６の前端は、左後方傾斜面６Ｂおよび右後方傾斜面６Ｃからなる山部が円周上の等間隔に６個形成される。更に、後軸３内にはカム部材７が内蔵される。このカム部材７は外方に隆起したカム爪７Ａが等間隔に３個形成され、カム爪７Ａの後端７Ｂは右後方に傾斜した斜面となっている。更に後軸３内には摺動部材８が内蔵され、この摺動部材８と金輪２の間にはスプリング９が張架されて摺動部材８が長手方向後方に付勢される。したがって、摺動部材８に当接されたカム部材７も後方に付勢され、カム部材７のカム爪７Ａが後軸３の凹溝３Ｄに挿入されて、カム部材７のカム爪７Ａの後端７Ｂが押棒６の右後方傾斜面６Ｃに当接される。また、押棒６の突部６Ａが後軸３の凹溝３Ｄおよびキー溝３Ｅの後端縁に当接され、図３に示したように押棒６が最後退位置に位置する。
【００１３】
更に、後軸３の後部にはやや太径の後部孔３Ｇが形成され、この後部孔３Ｇの前部に後部孔３Ｇよりやや細径の係合部３Ｈが形成される。また、前記押棒６の後部にはノブ１０が設けられ、ノブ１０は後軸３の後端より長く突出した状態となっている。このノブ１０の凹溝１０Ａにはゴム製のＯリング１１が嵌め込まれているが、このＯリング１１は後軸３の後部孔３Ｇよりは細径で、係合部３Ｈよりは太径に構成される。
【００１４】
そして、入力を行う場合には、入力ペンの入力チップ４を携帯情報端末等の液晶面に形成された感圧式のタッチパネルに押し付けて入力を行う。この時、強い力で押し付けた場合には、前スプリング５が圧縮されて入力チップ４が後退するので、タッチパネルを傷付ける恐れはない。
【００１５】
次に、入力ペンを携帯情報端末１２の収納室１２Ａに収納する場合には、入力ペンを収納室１２Ａに押し込むと、先ず前軸１の凹溝１Ｂが収納室１２Ａの係止部１２Ｂに係合される。更にノブ１０を押し込むとスプリング９が圧縮されて、押棒６、カム部材７および摺動部材８を前進させる。適宜カム部材７が前進すると、カム部材７のカム爪７Ａが後軸３の凹溝３Ｄより外れる。すると、右後方に傾斜されたカム爪７Ａの後端７Ｂが押棒６の右後方傾斜面６Ｃに当接されているので、カム部材７が右回転する。また、ノブ１０に設けられたＯリング１１が後軸３の係合部３Ｈに摩擦嵌合する。
【００１６】
ここでノブ１０の押圧を解除すると、カム部材７はスプリング９により後方に付勢されるので、カム爪７Ａの後端７Ｂが後軸３の右後方に傾斜された傾斜面３Ｂに沿って右回転しながらわずかに後退し、後軸３の受面３Ｃに当接する。この時、カム部材７のカム爪７Ａは押棒６の山部を乗り越え押棒６を僅かに後退させて図４、図５および図６に示したように、入力ペンの全長が短縮した状態となる。この押棒６が最前進位置に位置した状態では、押棒６およびノブ１０は、Ｏリング１１が後軸３の係合部３Ｈに摩擦嵌合しているので、振動等によって後退してしまう恐れはない。したがって、携帯情報端末１２等の収納室１２Ａに入力ペンが収納された状態では、図４に示したように、収納室１２Ａからのノブ１０の突出量は僅かとなる。
【００１７】
入力ペンを使用する為に収納室１２Ａより入力ペンを外す場合には、ノブ１０を軽くノックすると、押棒６の右後方傾斜面６Ｃがカム部材７のカム爪７Ａの後端７Ｂに当接し、カム部材７を前進させてカム爪７Ａの後端７Ｂが後軸３の受面３Ｃより外れる。すると、押棒６の右後方傾斜面６Ｃがカム部材７のカム爪７Ａの右後方に傾斜された後端７Ｂを押すために、カム部材７が右回転する。ここでノブ１０のノックを解除すると、カム部材７はカム爪７Ａの後端７Ｂが後軸３に形成された土手の右後方に傾斜された斜面３Ｆに沿って回転し、カム爪７Ａが後軸３の凹溝３Ｄに挿入される。すると、スプリング９によりカム部材７が後退され、カム爪７Ａの後端７Ｂに右後方傾斜面６Ｃが当接された押棒６も後退させられる。押棒６が後退するとノブ１０に設けられたＯリング１１が後軸３の係合部３Ｈより外れる。そして、押棒６の突部６Ａが後軸３の凹溝３Ｄおよびキー溝３Ｅの後端縁に当接すると、カム部材７、押棒６およびノブ１０の後退が停止し、図３の状態となる。すると、収納室１２Ａよりノブ１０が長く突出するので、ノブ１０を指で保持すれば、入力ペンを簡単に収納室１２Ａより外すことができる。また、入力ペンの全長が伸長して長くなるので、入力ペンによる入力操作も大変操作し易くなるものである。
【実施例２】
【００１８】
図７により本発明の実施例２の入力ペンを説明する。尚、図１と同一の部材は同一の符号を付してその説明は省略する。また、この実施例２は押棒とノブを一体に形成したものである。この場合には、Ｏリング１１１は押棒１０６の凹溝１０６Ｄに嵌め込まれる。そして、押棒１０６が最後退位置に位置した時には、押棒１０６の後端が後軸１０３より長く突出した状態となる。そして、入力ペンを携帯情報端末１２の収納室１２Ａに収納する場合には、押棒１０６に設けられたＯリング１１１が後軸１０３の係合部１０３Ｈに摩擦嵌合する。
【実施例３】
【００１９】
図８、図９、図１０および図１１により本発明の実施例３の入力ペンを説明する。後軸２０３の内面には、長手方向後方に長く伸びたキー溝２０３Ｅを円周方向等間隔に３個形成する。また、キー溝２０３Ｅの内側にキー溝２０３Ｅより短い凹溝２０３Ｄを３個形成する。この凹溝２０３Ｄと凹溝２０３Ｄの間には、右方向に傾斜された傾斜面２０３Ｂと、傾斜面２０３Ｂと隣接して長手方向に伸びた受面２０３Ｃにより係止部が形成され、更に受面２０３Ｃより凹溝２０３Ｄまでの段部２０３Ｉが右後方に傾斜された傾斜面となっている。
【００２０】
前記後軸２０３の凹溝２０３Ｄのそれぞれに押棒２０６の突部２０６Ａを挿入して押棒２０６を後軸２０３内に内蔵する。この押棒２０６の前端は、左後方傾斜面２０６Ｂおよび右後方傾斜面２０６Ｃからなる山部が円周上の等間隔に６個形成される。この押棒２０６には、円周方向等間隔に３個の突部２０６Ａが形成され、この突部２０６Ａの後端２０６Ｅは右後方に傾斜されて形成される。更に、後軸２０３内にはカム部材１０７が内蔵される。このカム部材１０７は、外方に隆起したカム爪１０７Ａが等間隔に３個形成され、このカム爪１０７Ａの後端１０７Ｂは左後方に傾斜した斜面となっている。このカム爪１０７Ａは後軸２０３のキー溝２０３Ｅにそれぞれ挿入され、カム部材１０７は後軸２０３内を長手方向には摺動可能で回動不能に内蔵される。更に、カム部材１０７と金輪２の間にはスプリング１０９が張架されて、カム部材１０７が長手方向後方に付勢される。したがって、カム部材１０７も後方に付勢され、カム爪１０７Ａの後端１０７Ｂが前記押棒２０６の左後方傾斜面２０６Ｂに当接される。この図８および図９に示したように、突部２０６Ａの後端２０６Ｅが後軸２０３の凹溝２０３Ｄ後縁に当接された押棒２０６は最後方位置に位置する。また、押棒２０６の後端が後軸２０３の後端より長く突出した状態となる。
【００２１】
次に、入力ペンを携帯情報端末１２の収納室１２Ａに収納する場合には、入力ペンを収納室１２Ａに押し込むと、先ず前軸１の凹溝１Ｂが収納室１２Ａの係止部１２Ｂに係合される。更に押棒２０６を押し込むとスプリング１０９が圧縮されて、押棒２０６およびカム部材１０７を前進させる。適宜押棒２０６が前進すると、押棒２０６の突部２０６Ａが後軸２０３の凹溝２０３Ｄより外れる。すると、カム部材１０７の左後方に傾斜されたカム爪１０７Ａの後端１０７Ｂが押棒２０６の左後方傾斜面２０６Ｂに当接されているので、押棒２０６が右回転する。
【００２２】
ここで押棒２０６の押圧を解除すると、押棒２０６はスプリング１０９により後方に付勢されるので、突部２０６Ａの後端２０６Ｅが後軸２０３の右後方に傾斜された傾斜面２０３Ｂに沿って右回転しながらわずかに後退し、後軸２０３の受面２０３Ｃに当接する。この時、押棒２０６の山部はカム部材１０７のカム爪１０７Ａを乗り越えて右回転し、図１０および図１１に示したように、押棒２０６は最前進位置に位置して入力ペンの全長が短縮した状態となる。したがって、携帯情報端末１２等の収納室１２Ａに入力ペンが収納された状態では、収納室１２Ａからの押棒２０６の突出量はわずかとなる。
【００２３】
入力ペンを使用する為に収納室１２Ａより入力ペンを外す場合には、押棒２０６を軽くノックすると、押棒２０６の左後方傾斜面２０６Ｂがカム爪１０７Ａの後端１０７Ｂを押圧し、押棒２０６の突部２０６Ａが後軸２０３の受面２０３Ｃより外れる。すると、押棒２０６の左後方傾斜面２０６Ｂがカム部材１０７のカム爪１０７Ａの後端１０７Ｂに押圧されている為、押棒２０６が右回転する。ここで押棒２０６のノックを解除すると、押棒２０６は、突部２０６Ａが後軸２０３の凹溝２０３Ｄに挿入される。すると、スプリング１０９により押棒２０６が後退され、押棒２０６の前端にカム爪１０７Ａが当接されているカム部材１０７も押棒２０６とともに後退させられる。そして、押棒２０６の突部２０６Ａの後端２０６Ｅが後軸２０３の凹溝２０３Ｄ後縁に当接されて、図８および図９に示した状態に復帰し、押棒２０６が最後退位置に位置する。また、押棒２０６の後端２０６Ｅが後軸２０３の後端より長く突出し、入力ペンの全長が伸長する。
【００２４】
尚、本発明は上記実施例に限定されるものではなく、図示していないが、前軸と後軸を一体にして軸筒を構成し、軸筒の前部に入力チップを取り付けた構成にすることも可能である。この場合には、押棒、後スプリング、カム部材は軸筒の前端から挿入し、その後入力チップを取り付ける構成となる。
【産業上の利用可能性】
【００２５】
押棒を押圧することにより、押棒が最前進位置と最後退位置を交互に位置し、入力ペンが携帯情報端末等に収納された時には、押棒が最前進位置に位置して押棒あるいはノブが邪魔にならず、入力ペンを外す場合には押棒が最前進位置に位置して押棒あるいはノブを保持し易くなる入力ペンに適用できる。
【図面の簡単な説明】
【００２６】
【図１】本発明の実施例１の入力ペンを示す断面図である。（実施例１）
【図２】図１の状態における入力ペンを示す主要部拡大断面図である。（実施例１）
【図３】図１の状態における後軸の係止部および凹溝と、カム部材のカム爪、押棒の突部を示す拡大展開図である。（実施例１）
【図４】本発明の入力ペンを携帯情報端末の収納室に収納した状態を示す主要部部分断面図である。（実施例１）
【図５】図４の状態における入力ペンを示す主要部拡大断面図である。（実施例１）
【図６】図４の状態における後軸の係止部および凹溝と、カム部材のカム爪、押棒の突部を示す拡大展開図である。（実施例１）
【図７】本発明の実施例２の入力ペンを示す主要部拡大断面図である。（実施例２）
【図８】本発明の実施例３の入力ペンを示す主要部拡大断面図である。（実施例３）
【図９】図８の状態における後軸の係止部および凹溝と、カム部材のカム爪、押棒の突部を示す拡大展開図である。（実施例３）
【図１０】本発明の実施例３の入力ペンにおいて、全長が伸長した状態を示す主要部拡大断面図である。（実施例３）
【図１１】図１０の状態における後軸の係止部および凹溝と、カム部材のカム爪、押棒の突部を示す拡大展開図である。（実施例３）
【符号の説明】
【００２７】
１  前軸
３  後軸
３Ｄ  後軸３の凹溝
６  押棒
６Ａ  押棒６の突部
７  カム部材
７Ａ  カム部材７のカム爪
９  スプリング
１０  ノブ
１０３  後軸
１０６  押棒
１０７  カム部材
１０７Ａ  カム部材１０７のカム爪
１０９  スプリング
２０３  後軸
２０３Ｄ  後軸２０３の凹溝
２０６  押棒
２０６Ａ  押棒２０６の突部
【図１】
2006119913.tif 000003
【図２】
2006119913.tif 000004
【図３】
2006119913.tif 000005
【図４】
2006119913.tif 000006
【図５】
2006119913.tif 000007
【図６】
2006119913.tif 000008
【図７】
2006119913.tif 000009
【図８】
2006119913.tif 000010
【図９】
2006119913.tif 000011
【図１０】
2006119913.tif 000012
【図１１】
2006119913.tif 000013